(57)【要約】【課題】駆動条件の変化に起因して、映像の明るさの変化やノイズが発生しても、視聴者に表示品位の低下を認識され難くすること。【解決手段】電気光学装置は、前記電気光学パネルにおいて発生したフリッカーを検出する検出手段と、前記検出手段により前記フリッカーが検出された場合において電気光学パネルと、ユーザーの瞬きが検出されると、当該ユーザーが当該瞬きにおいて目を閉じている間に、前記電気光学パネルの駆動条件を変更する変更手段と、前記変更された駆動条件で、入力映像信号に基づいて前記電気光学パネルを駆動する駆動手段とを有する。【選択図】図１１
2014164213.tif 000002
【特許請求の範囲】
【請求項１】
電気光学パネルと、
前記電気光学パネルにおいて発生したフリッカーを検出する検出手段と、
前記検出手段により前記フリッカーが検出された場合においてユーザーの瞬きが検出されると、当該ユーザーが当該瞬きにおいて目を閉じている間に、前記電気光学パネルの駆動条件を変更する変更手段と、
前記変更された駆動条件で、入力映像信号に基づいて前記電気光学パネルを駆動する駆動手段と
を有する電気光学装置。
【請求項２】
前記入力映像信号は、立体視映像を示し、
前記駆動手段は、前記電気光学パネルに印加される電圧の極性を反転させながら前記電気光学パネルを駆動し、
前記駆動条件は、前記極性を反転させるタイミングを示す
ことを特徴とする請求項１に記載の電気光学装置。
【請求項３】
前記変更手段は、前記駆動条件を変更した後は所定の期間、当該駆動条件を変更せずに維持する
ことを特徴とする請求項１または２に記載の電気光学装置。
【請求項４】
請求項１ないし３のいずれか一項に記載の電気光学装置
を有する電子機器。
【請求項５】
前記瞬きを検出する検出手段を有する
ことを特徴とする請求項４に記載の電子機器。
【請求項６】
前記検出手段は、前記ユーザーの顔に接触する接触式のセンサーにより前記瞬きを検出する
ことを特徴とする請求項５に記載の電子機器。
【請求項７】
前記検出手段は、前記ユーザの顔を撮影した画像から前記瞬きを検出する
ことを特徴とする請求項５に記載の電子機器。
【請求項８】
電気光学パネルにおいてフリッカーが検出された場合においてユーザーの瞬きが検出されると、当該ユーザーが当該瞬きにおいて目を閉じている間に、当該電気光学パネルの駆動条件を変更するステップと、
前記変更された駆動条件で、入力映像信号に基づいて前記電気光学パネルを駆動するステップと
を有する電気光学装置の駆動方法。
【発明の詳細な説明】
【技術分野】
【０００１】
本発明は、電気光学装置においてフリッカーの発生を抑える技術に関する。
【背景技術】
【０００２】
テレビ受像機やプロジェクターなどの表示装置において、表示素子の焼き付きおよびフリッカーは表示品位を示す指標の一つである。表示素子の焼き付きを抑制するためには、駆動条件（例えば表示素子に印加する電圧の極性）を変化（例えば周期的に反転）させる技術が知られている。また、フリッカーを低減するため、種々の技術が開発されている（特許文献１ないし３）。
【先行技術文献】
【特許文献】
【０００３】
【特許文献１】特開２０１１−２２１２１８号公報
【特許文献２】特開２０１１−１５８７７６号公報
【特許文献３】特開２０１１−２２１１４７号公報
【発明の概要】
【発明が解決しようとする課題】
【０００４】
表示素子の焼き付きを抑制するため駆動条件を変化させると、駆動条件の変化に起因して、映像の明るさの変化やノイズが発生して、表示品質が低下してしまう場合があった。
これに対し本発明は、駆動条件の変化に起因して、映像の明るさの変化やノイズが発生しても、視聴者に表示品位の低下を認識され難くする技術を提供する。
【課題を解決するための手段】
【０００５】
本発明は、電気光学パネルと、前記電気光学パネルにおいて発生したフリッカーを検出する検出手段と、前記検出手段により前記フリッカーが検出された場合においてユーザーの瞬きが検出されると、当該ユーザーが当該瞬きにおいて目を閉じている間に、前記電気光学パネルの駆動条件を変更する変更手段と、前記変更された駆動条件で、入力映像信号に基づいて前記電気光学パネルを駆動する駆動手段とを有する電気光学装置を提供する。
この電気光学装置によれば、駆動条件の変化に起因して、映像の明るさの変化やノイズが発生しても、視聴者に表示品位の低下を認識され難くすることができる。
【０００６】
前記入力映像信号は、立体視映像を示し、前記駆動手段は、前記電気光学パネルに印加される電圧の極性を反転させながら前記電気光学パネルを駆動し、前記駆動条件は、前記極性を反転させるタイミングを示してもよい。
この電気光学装置によれば、立体視映像を表示するシステムにおいて、駆動条件の変化に起因して、映像の明るさの変化やノイズが発生しても、視聴者に表示品位の低下を認識されにくくすることができる。
【０００７】
前記変更手段は、前記駆動条件を変更した後は所定の期間、当該駆動条件を変更せずに維持してもよい。
この電気光学装置によれば、所定の期間内に駆動条件が変更される回数を制限することができる。
【０００８】
また、本発明は、上記の電気光学装置を有する電子機器を提供する。
この電子機器によれば、駆動条件の変化に起因して、映像の明るさの変化やノイズが発生しても、視聴者に表示品位の低下を認識され難くすることができる。
【０００９】
この電子機器は、前記瞬きを検出する検出手段を有してもよい。
この電気光学装置によれば、検出した瞬きのタイミングを用いて、駆動条件の変化に起因して、映像の明るさの変化やノイズが発生しても、視聴者に表示品位の低下を認識され難くすることができる。
【００１０】
前記検出手段は、前記ユーザーの顔に接触する接触式のセンサーにより前記瞬きを検出してもよい。
この電気光学装置によれば、接触式のセンサーにより検出した瞬きのタイミングを用いて、駆動条件の変化に起因して、映像の明るさの変化やノイズが発生しても、視聴者に表示品位の低下を認識難くすることができる。
【００１１】
前記検出手段は、前記ユーザの顔を撮影した画像から前記瞬きを検出してもよい。
この電気光学装置によれば、ユーザーの画像により検出した瞬きのタイミングを用いて、駆動条件の変化に起因して、映像の明るさの変化やノイズが発生しても、視聴者に表示品位の低下を認識難くすることができる。
【００１２】
さらに、本発明は、電気光学パネルにおいてフリッカーが検出された場合においてユーザーの瞬きが検出されると、当該ユーザーが当該瞬きにおいて目を閉じている間に、電気光学パネルの駆動条件を変更するステップと、前記変更された駆動条件で、入力映像信号に基づいて前記電気光学パネルを駆動するステップとを有する電気光学装置の駆動方法を提供する。
この駆動方法によれば、駆動条件の変化に起因して、映像の明るさの変化やノイズが発生しても、視聴者に表示品位の低下を認識難くすることができる。
【図面の簡単な説明】
【００１３】
【図１】２Ｄ表示および３Ｄ表示における極性反転を例示する図。
【図２】ＳＦ駆動の問題点を説明する図。
【図３】ＳＦ駆動の別の問題点を説明する図。
【図４】図２および図３で説明した問題の解決策の一例を示す図。
【図５】電子機器１の構成を示す図。
【図６】液晶表示装置２の構成を示すブロック図。
【図７】液晶パネル１００および駆動制御部１０の構成を示すブロック図。
【図８】画素１１１の等価回路を示す図。
【図９】立体視眼鏡３の構成を示すブロック図。
【図１０】立体視眼鏡３の外観を例示する図。
【図１１】液晶表示装置２の動作を示すフローチャート。
【図１２】本実施形態における印加電圧の極性の切り替えを例示する図。
【図１３】変形例１に係る液晶表示装置２の構成を示すブロック図。
【発明を実施するための形態】
【００１４】
１．概要
まず、液晶パネルの駆動における問題点について説明する。液晶パネルにおいて、液晶に直流電圧を長期間印加し続けると特性劣化が起こり、焼き付きやフリッカーといった表示品質の低下を招く。そのため、一般には、液晶パネルは、印加電圧の極性を周期的に切り替えながら駆動される。例えば、ある画像を正極性の印加電圧で表示した場合、次に同一の画像を負極性の印加電圧によって表示することで、液晶に印加される電圧の時間的な極性バランスが調整される。表示される画像が平面視画像から立体視画像に変わっても、すなわち２Ｄ表示から３Ｄ表示に変わっても、周期的な極性反転が必要であることに変わりはない。
【００１５】
図１は、２Ｄ表示および３Ｄ表示における極性反転を例示する図である。この例では、２Ｄ表示において、１フレーム（例えば６０Ｈｚに相当する１６．７ミリ秒）は２つのサブフレームに分割され、サブフレーム毎に極性反転が行われる。すなわち、印加電圧の極性は映像信号の倍の周波数（例えば１２０Ｈｚ）で反転する。
【００１６】
図１では、３Ｄ表示の方法として、右目用画像と左目用画像とを時分割で表示する方法が用いられている。３Ｄ表示では、１フレームは４つのサブフレームに分割され、前半２つのサブフレームでは右目用画像が、後半２つのサブフレームでは左目用画像が表示される。さらに、サブフレーム毎に極性反転が行われる。すなわち、印加電圧の極性は映像信号の４倍の周波数（例えば２４０Ｈｚ）で反転する。この例で、１フレームを構成する４つのサブフレームにおいて、液晶パネルは、右目用画像の正極性表示、右目用画像の負極性表示、左目用画像の正極性表示、左目用画像の負極性表示の順で駆動される。このように、３Ｄ表示においては、２Ｄ表示と比較して同一の画像の保持時間が短くなるため表示品質を高く保つことは困難になる。さらに、極性反転周期も早くなるので回路への負荷は増大する。
【００１７】
液晶パネルの駆動方法の一つとして、いわゆるＳＦ（サブフィールド）駆動が知られている。ＳＦ駆動は、単位表示期間（例えばフレーム）を複数のＳＦに分割し、各ＳＦにおいて印加される２値の電圧の組み合わせ（ＳＦコードという）によって階調を表現する駆動方法である。
【００１８】
図２は、ＳＦ駆動の問題点を説明する図である。ここでは、１フレームが２つのサブフレームに分割され、第１フレームで右目用画像が、第２フレームで左目用画像がそれぞれ表示される。また、第１フレームで正極性の電圧が、第２フレームで負極性の電圧がそれぞれ印加される。この場合において、右目用画像と左目用画像とにおいて異なる階調を表示する画素（左右画像の視差による相違点に相当する画素）を例として考える。なお、この例で各サブフレームは２０ＳＦに分割される。
【００１９】
図２の例では、右目用画像の階調がＳＦコード「１１１１１１１１１１１１１１１１００００」、左目用画像の階調がＳＦコード「１１１１１１１１００００００００００００」で表される。ＳＦコードにおいて、「１」は電圧印加するＳＦを、「０」は電圧印加しないＳＦを、それぞれ示している。この例では、正極性電圧が、負極性電圧と比べて４ＳＦ分長く印加されており、極性バランスが正極性に偏っている。この極性バランスの偏りは静止画を表示している間、続くため、焼き付きやフリッカーのような表示不良を引き起こす。
【００２０】
図３は、ＳＦ駆動の別の問題点を説明する図である。図２で説明した極性バランスの偏りを回避する方法の一つに、図２の駆動からサブフレームを２分割し、同じ階調を正極性および負極性で書き込む方法がある。しかし、サブフレームの長さが短くなると、階調表現に使えるＳＦ数が減ってしまう（図３の例では図２の半分）。これは、表現できる階調数が減ること、すなわち所望の表示性能が得られない可能性が出てくることを意味する。このように、ＳＦ駆動の３Ｄ表示においては、極性バランスの調整と表示階調数とはトレードオフの関係にある。
【００２１】
図４は、図２および図３で説明した問題の解決策の一例を示す図である。この例では、図２の例と同様に、１フレームは２つのサブフレームに分割される。第１サブフレームでは右目用画像が表示され、第２サブフレームでは左目用画像が表示される。この例で特徴的なのは、ある周期（図４の例では映像信号の１／４の１５Ｈｚ）で、サブフレームにおける印加電圧の極性が反転する点である。すなわち、ある期間では、第１サブフレームで正極性の電圧が印加され、第２サブフレームで負極性の電圧が印加される。この極性反転のパターンがあるタイミングで反転し、第１サブフレームで負極性の電圧が印加され、第２サブフレームで正極性の電圧が印加される。図４の例では、第１〜第２フレームにおいては第１サブフレームで正極性の電圧が印加され、第２サブフレームで負極性の電圧が印加されるパターンであったのが、第３〜第４フレームにおいては第１サブフレームで負極性の電圧が印加され、第２サブフレームで正極性の電圧が印加されるパターンに反転している。
【００２２】
図４の例によれば、階調表現に用いられるＳＦ数を減らすことなく、極性バランスを調整することが可能となる。しかし一方で、駆動条件の変化に起因して、映像の明るさの変化やノイズが発生する可能性がある、特に、図４の例では、明るさの変化が、映像信号より低い周波数（この例では１５Ｈｚ）の極性反転周期で現れることになる。人間は、６０Ｈｚ以下の周波数のフリッカーは視認しやすいという特性があるため、図４の例では、駆動条件の変化に起因して発生する明るさの変化が、フリッカーとして視認される可能性がある。本実施形態ではこの問題に対処する。具体的には、ユーザーが瞬きを行っている間に、極性反転パターンの反転など、フリッカーの原因となる駆動条件の変更を行う。本実施形態は、これにより、駆動条件の変化に起因して、映像の明るさの変化やノイズが発生しても、視聴者に、表示品位の低下を認識され難くすることができる。
【００２３】
２．構成
図５は、電子機器１の構成を示すブロック図である。この例で、電子機器１は、立体視表示システムであり、液晶表示装置２および立体視眼鏡（３Ｄメガネ）３を有する。液晶表示装置２は、カラー画像を表示する装置、例えばプロジェクターである。ユーザーは、立体視眼鏡３をかけて液晶表示装置２により表示される映像を見ることにより、立体視画像を見ることができる。
【００２４】
図６は、液晶表示装置２の構成を示すブロック図である。液晶表示装置２は、液晶パネル１００と、駆動制御回路１０と、ＭＣＵ（Micro Control Unit）４０と、眼鏡制御回路５０と、通信部６０とを有する。液晶パネル１００は、画像を形成するため、光源（図示略）から照射された光を変調する光変調器である。液晶パネルにより変調され光は、投射レンズ等の光学系（図示略）を介してスクリーンに投射される。駆動制御回路１０は、液晶パネル１００の駆動を制御する装置である。眼鏡制御回路５０は、表示される映像と同期して立体視眼鏡３を制御するための装置である。通信部６０は、立体視眼鏡３との間で信号を通信する装置である。通信部６０は、無線（例えば赤外線）により立体視眼鏡３と通信する。ＭＣＵ４０は、液晶表示装置２全体を制御する装置であり、ＣＰＵ（Central Processing Unit）およびメモリーを有する。
【００２５】
図７は、液晶パネル１００および駆動制御部１０の構成を示すブロック図である。この例で、液晶パネル１００は、駆動回路一体型のパネルであり、走査線駆動回路１３０およびデータ線駆動回路１４０を有する。液晶表示装置２は、液晶パネルを３つ（それぞれ、色成分Ｒ、色成分Ｇ、および色成分Ｂに対応する）有しているが、ここでは、図面が煩雑になるのを避けるため、単一の液晶パネル１００のみを図示している。
【００２６】
駆動制御回路１０は、上位装置から供給される映像信号Ｖｉｄ−ｉｎおよび同期信号Ｓｙｎｃに応じて走査線駆動回路１３０およびデータ線駆動回路１４０を制御する信号を出力する。映像信号Ｖｉｄ−ｉｎは、液晶パネル１００における各画素の階調値をそれぞれ指定するデジタル信号である。映像信号Ｖｉｄ−ｉｎは、同期信号Ｓｙｎｃと同期して供給される。同期信号は、垂直走査信号、水平走査信号およびドットクロック信号（いずれも図示省略）を含んでいる。この例で、映像信号Ｖｉｄ−ｉｎの周波数は６０Ｈｚである。すなわち、映像信号Ｖｉｄ−ｉｎにより示される画像は、１６．６７ミリ秒毎に書き換えられる。
【００２７】
なお、映像信号Ｖｉｄ−ｉｎは直接的には階調値を指定するものであるが、階調値に応じて液晶素子に印加される電圧（以下「印加電圧」という）が定まるので、映像信号Ｖｉｄ−ｉｎは液晶素子の印加電圧を指定するものといえる。
【００２８】
駆動制御回路１０は、走査制御回路２０と画像処理回路３０とを有する。走査制御回路２０は、制御信号Ｘｃｔｒ、制御信号Ｙｃｔｒ、制御信号Ｉｃｔｒ等、各種の制御信号を生成して、同期信号Ｓｙｎｃに同期して各部を制御する。画像処理回路３０は、デジタルの映像信号Ｖｉｄ−ｉｎを処理して、各色成分毎にアナログのデータ信号Ｖｘを出力する。映像信号Ｖｉｄ−ｉｎは、（ｍ×ｎ）個の画素の各々について、複数の色成分の階調値を示す入力映像信号の一例である。
【００２９】
液晶パネル１００は、供給される信号に応じて画像を表示する装置である。液晶パネル１００は、ｍ行ｎ列のマトリクス状に配置された画素１１１を有する。画素１１１は、走査線駆動回路１３０及びデータ線駆動回路１４０から供給される信号に応じた光学状態を示す。液晶パネル１００は、複数の画素１１１の光学状態を制御することにより画像を表示する。
【００３０】
液晶パネル１００は、素子基板１００ａと、対向基板１００ｂと、液晶１０５とを有する。素子基板１００ａと対向基板１００ｂとは、一定の間隙を保って貼り合わせられている。この間隙に、液晶１０５が挟まれている。
【００３１】
素子基板１００ａは、対向基板１００ｂとの対向面において、ｍ行の走査線１１２およびｎ列のデータ線１１４を有する。走査線１１２はＸ（行）方向に沿って、データ線１１４はＹ（列）方向に沿って、それぞれ設けられており、互いに絶縁されている。一の走査線１１２を他の走査線１１２と区別するときは、図において上から順に第１、第２、第３、…、第（ｍ−１）、および第ｍ行の走査線１１２という。同様に、一のデータ線１１４を他のデータ線１１４と区別するときは、図において左から順に第１、第２、第３、…、第（ｎ−１）、第ｎ列のデータ線１１４という。画素１１１は、Ｘ軸およびＹ軸に垂直な位置にある視点からみたときに、走査線１１２およびデータ線１１４の交差に対応して設けられている。
【００３２】
図８は、画素１１１の等価回路を示す図である。画素１１１は、ＴＦＴ（Thin Film Transistor）１１６と、液晶素子１２０と、保持容量１２５とを有する。液晶素子１２０は、画素電極１１８と、液晶１０５と、コモン電極１０８とを有する。画素電極１１８は、画素１１１毎に個別に設けられた電極である。コモン電極１０８は、すべての画素１１１に共通の電極である。画素電極１１８は素子基板１００ａに、コモン電極１０８は対向基板１００ｂに、それぞれ設けられている。液晶１０５は、画素電極１１８およびコモン電極１０８に挟まれている。コモン電極１０８には、コモン電圧ＬＣｃｏｍが印加される。
【００３３】
ＴＦＴ１１６は、画素電極１１８への電圧の印加を制御するスイッチング素子の一例であり、この例では、ｎチャネル型の電界効果トランジスターである。ＴＦＴ１１６は、画素１１１毎に個別に設けられている。第ｉ行第ｊ列のＴＦＴ１１６のゲートは第ｉ行の走査線１１２に、ソースは第ｊ列のデータ線１１４に、ドレインは画素電極１１８に、それぞれ接続されている。保持容量１２５は、一端が画素電極１１８に、他端が容量線１１５に、それぞれ接続されている。容量線１１５には、時間的に一定の電圧が印加される。
【００３４】
第ｉ行の走査線１１２にＨ（High）レベルの電圧（以下「選択電圧」という）が印加されると、第ｉ行第ｊ列のＴＦＴ１１６はオン状態となり、ソースとドレインが導通する。このとき、第ｊ列のデータ線１１４に、第ｉ行第ｊ列の画素１１１の階調値（データ）に応じた電圧（以下「データ電圧」という）が印加されると、データ電圧は、ＴＦＴ１１６を介して第ｉ行第ｊ列の画素電極１１８に印加される。
【００３５】
その後、第ｉ行の走査線１１２にＬ（Low）レベルの電圧（以下「非選択電圧」という）が印加されると、ＴＦＴ１１６はオフ状態になり、ソースとドレインは高インピーダンス状態となる。ＴＦＴ１１６がオン状態のとき画素電極１１８に印加された電圧は、液晶素子１２０の容量性および保持容量１２５によって、ＴＦＴ１１６がオフ状態になった後も保持される。
【００３６】
液晶素子１２０には、データ電圧とコモン電圧との電位差に相当する電圧が印加される。液晶１０５の分子配向状態は、液晶素子１２０に印加される電圧に応じて変化する。画素１１１の光学状態は、液晶１０５の分子配向状態に応じて変化する。例えば、液晶パネル１００が透過型のパネルである場合、変化する光学状態は透過率である。
【００３７】
再び図７を参照する。走査線駆動回路１３０は、ｍ本の走査線１１２の中から一の走査線１１２を順次排他的に選択する（すなわち走査線１１２を走査する）回路である。具体的には、走査線駆動回路１３０は、制御信号Ｙｃｔｒに従って、第ｉ行の走査線１１２に、走査信号Ｙｉを供給する。この例で、走査信号Ｙｉは、選択される走査線１１２に対しては選択電圧となり、選択されない走査線１１２に対しては非選択電圧となる信号である。
【００３８】
データ線駆動回路１４０は、ｎ本のデータ線１１４にデータ電圧を示す信号（以下「データ信号」という）を出力する回路である。具体的には、データ線駆動回路１４０は、画像処理回路３０から供給されるデータ信号Ｖｘを、制御信号Ｘｃｔｒに従ってサンプリングし、第１〜第ｎ列のデータ線１１４にデータ信号Ｘ１〜Ｘｎとして出力する。なお、本説明において電圧については、液晶素子１２０の印加電圧を除き、特に明記しない限り図示省略した接地電位を基準（ゼロＶ）として表す。
【００３９】
図９は、立体視眼鏡３の構成を示すブロック図である。立体視眼鏡３は、右目シャッター３０１と、左目シャッター３０２と、通信部３０３と、制御部３０４と、センサー３０５とを有する。右目シャッター３０１および左目シャッター３０２は、それぞれ、右目および左目の視界を遮るためのシャッターである。通信部３０３は、液晶表示装置２（通信部６０）から送信される制御信号Ｇｃｔｒを受信する。制御信号Ｇｃｔｒは、右目シャッター３０１および左目シャッター３０２の少なくとも一方を開くまたは閉じるタイミングを示す信号である。制御部３０４は、通信部３０３が受信した制御信号Ｇｃｔｒに応じて、右目シャッター３０１および左目シャッター３０２の開閉状態を制御する。
【００４０】
センサー３０５は、ユーザーの瞬きを検知する。制御部３０４は、センサー３０５における検知結果に応じた信号Ｉｂｌを、通信部３０３を介して液晶表示装置２に送信する。この例で、信号Ｉｂｌは、ユーザーが目を開いているときはＬレベルであり、ユーザーが目を開いているときはＨレベルである信号である。
【００４１】
図１０は、立体視眼鏡３の外観を例示する図である。この例で、立体視眼鏡３は、フレーム３０９と、センサー３０５Ａ、センサー３０５Ｂ、およびセンサー３０５Ｃを有する。右目シャッター３０１および左目シャッター３０２は、印加電圧に応じて透過率が変化する液晶シャッターである。センサー３０５Ａおよびセンサー３０５Ｂは、画像センサーでり、それぞれユーザーの左眼球および右眼球の画像を撮影する。制御部３０４は、センサー３０５Ａおよびセンサー３０５Ｂにより撮影された画像から、まぶたの動きを検出するか、または眼球の光反射率を測定することにより、目が閉じられたことを検知する。センサー３０５は接触式の圧力センサーであり、ユーザーの顔の表情筋の動きを検出することにより、目が閉じられたことを検知する。この例で、立体視眼鏡３は、画像センサーおよび接触式のセンサーの両方を使用して瞬きを検知する。別の例で、立体視眼鏡３は、画像センサーおよび接触式のセンサーの一方のみ、または他の方法によって瞬きを検知してもよい。
【００４２】
図５において、ＭＣＵ４０は、ユーザーの瞬きが検出されると、そのユーザーがその瞬きにおいて目を閉じている間に、電気光学パネル（液晶パネル１００）の駆動条件を変更する変更手段の一例である。駆動制御回路１０は、変更された駆動条件で、入力映像信号Ｖｉｄ−ｉｎに基づいて電気光学パネルを駆動する駆動手段の一例である。液晶表示装置２は、上記の変更手段および駆動手段を有する電気光学装置の一例である。
【００４３】
３．動作
図１１は、液晶表示装置２の動作を示すフローチャートである。図１１のフローは、例えば、立体視眼鏡３の電源が投入されたことを契機として開始される。立体視眼鏡３の電源が投入されたことは、例えば、立体視眼鏡３から出力される信号により示される。
【００４４】
ステップＳ１００において、液晶表示装置２のＭＣＵ４０は、瞬きを検出した（より詳細には、瞬きにより目が閉じられているかどうか）か判断する。瞬きを検出したかどうかは、通信部６０を介して取得する信号Ｉｂｌを用いて判断される。すなわち信号ＩｂｌがＬレベルを示しているときは目は開かれており、信号ＩｂｌがＨレベルを示しているときは瞬きにより目は閉じられている。瞬きを検出したと判断された場合（Ｓ１００：ＹＥＳ）、ＭＣＵ４０は、処理をステップＳ１１０に移行する。瞬きを検出していないと判断された場合（Ｓ１００：ＮＯ）、ＭＣＵ４０は、処理をステップＳ１４０に移行する。
【００４５】
ステップＳ１１０において、ＭＣＵ４０は、駆動条件切り替えのフラグがあるか判断する。駆動条件切り替えのフラグは、駆動制御回路１０から出力されるフラグ信号により示される。駆動制御回路１０は、例えば、駆動条件（この例では、極性反転のタイミング）を変更するための条件（例えば、前回極性反転をしてから所定数のフレームが経過した、およびフレームの途中でない、フリッカーが検出された等）が満たされた場合、駆動条件切り替えのフラグがあることを示す信号を出力する。この条件が満たされていない場合、駆動制御回路１０は、駆動条件切り替えのフラグが無いことを示す信号を出力する。駆動条件切り替えのフラグがあると判断された場合（Ｓ１１０：ＹＥＳ）、ＭＣＵ４０は、処理をステップＳ１２０に移行する。駆動条件切り替えのフラグが無いと判断された場合（Ｓ１１０：ＮＯ）、ＭＣＵ４０は、処理をステップＳ１５０に移行する。
【００４６】
ステップＳ１２０において、ＭＣＵ４０は、前回の駆動条件切り替えから所定の時間が経過したか判断する。この時間は、液晶表示装置２の製造者によって、液晶パネル１００の特性などを考慮して決められる。前回の駆動条件切り替えから所定の時間が経過したと判断された場合（Ｓ１２０：ＹＥＳ）、ＭＣＵ４０は、処理をステップＳ１３０に移行する。前回の駆動条件切り替えから所定の時間が経過していないと判断された場合（Ｓ１２０：ＮＯ）、ＭＣＵ４０は、処理をステップＳ１５０に移行する。
【００４７】
ステップＳ１３０において、ＭＣＵ４０は、駆動条件を切り替える。この例では、極性反転のタイミングを切り替える。具体的には、第１サブフレームにおいて正極性電圧が、第２サブフレームにおいて負極性電圧が印加されていた場合には、第１サブフレームにおいて負極性電圧が、第２サブフレームにおいて正極性電圧が印加されるように極性反転のタイミングを切り替える。また、第１サブフレームにおいて負極性電圧が、第２サブフレームにおいて正極性電圧が印加されていた場合には、第１サブフレームにおいて正極性電圧が、第２サブフレームにおいて負極性電圧が印加されるように極性反転のタイミングを切り替える。
【００４８】
ステップＳ１４０において、ＭＣＵ４０は、所定時間、瞬きを検出していないか判断する。所定の時間、瞬きを検出していないと判断された場合（Ｓ１４０：ＹＥＳ）、ＭＣＵ４０は、処理をステップＳ１６０に移行する。前回瞬きを検出してからまだ所定の時間が経過していないと判断された場合（Ｓ１４０：ＮＯ）、ＭＣＵ４０は、処理をステップＳ１５０に移行する。
【００４９】
ステップＳ１５０において、ＭＣＵ４０は、立体視眼鏡３の電源がオフされているか判断する。立体視眼鏡３の電源がオフされているか否かは、例えば、立体視眼鏡３から出力される信号を用いて判断される。例えば、立体視眼鏡３は、電源が投入されている間（オンの間）、所定の間隔で、電源が投入されていることを示す信号を出力している。ＭＣＵ４０は、通信部６０を介してこの信号を受信し、電源がオフされているか判断する。立体視眼鏡３の電源がオフされていると判断された場合（Ｓ１５０：ＹＥＳ）、ＭＣＵ４０は、処理をステップＳ１６０に移行する。立体視眼鏡３の電源が投入されていると判断された場合（Ｓ１５０：ＮＯ）、ＭＣＵ４０は、処理をステップＳ１００に移行する。
【００５０】
ステップＳ１６０において、ＭＣＵ４０は、手動切り替えモードで動作する。手動切り替えモードとは、検出された瞬きに応じて駆動条件を切り替えるのではなく、ユーザーの指示に応じて駆動条件を切り替える動作モードである。ユーザーの指示は、液晶表示装置に設けられたボタンやリモートコントローラー（いずれも図示略）を介して入力される。
【００５１】
図１２は、本実施形態における印加電圧の極性の切り替えを例示する図である。この例で、入力映像信号Ｖｉｄ−ｉｎは立体視映像（３Ｄ映像）を示す。瞬き１回の平均時間は１００〜１５０ミリ秒ほどである。瞬きの頻度は、性別や年齢によって差はあるが、１分あたり２０回程度であると言われている。瞬きは通常左右同時に行う行為であるため、瞬きによりまぶたを閉じている間は外界の視覚情報は得られない。図１２の例では、瞬きにより目が閉じられている間に駆動条件が変更されている（図中矢印のタイミング）。これにより、駆動条件の変更に起因して、映像の明るさの変化やノイズが発生しても、視聴者に表示品位の低下を認識され難くすることができる。
【００５２】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００５３】
４−１．変形例１
図１３は、変形例１に係る液晶表示装置２の構成を例示する図である。変形例１において、液晶表示装置２はフリッカーを検出するための検出回路７０（検出手段の一例）を有する。検出回路７０は、センサー７１と、解析部７２とを有する。センサー７１は、液晶パネル１００の画素の明るさを検知するセンサー（例えばカメラ）である。センサー７１は、画素の明るさを示すアナログの信号Ｓｂを、解析部７２に供給する。
【００５４】
この例で、液晶パネル１００は、表示領域以外に、表示に寄与しない、フリッカー検出用の画素（以下「検出用画素」という）を有している。センサー７１は、液晶パネル１００の検出用画素の近傍に配置される。検出用画素は、常に所定の中間階調を表示する画素である。
【００５５】
解析部７２は、センサー７１から供給される信号Ｓｂに基づいて、正極性フィールドと負極性フィールドのどちらが明るいかを示す信号Ｓａ１を出力する。さらに、解析部７２は、信号Ｓｂに基づいてフリッカー量を算出し、フリッカー量を示す信号Ｓａ２を出力する。フリッカー量は、正極性フィールドおよび負極性フィールドにおける所定の周波数成分のパワーの差である。フリッカー量は、例えば、信号Ｓｂをデジタル変換後、高速フーリエ変換した結果を用いて算出される。
【００５６】
ＭＣＵ４０は、フリッカーが検出された場合のみ、すなわち、信号Ｓａ２により示されるフリッカー量が所定のしきい値を超えていた場合に、駆動条件の切り替え（ステップＳ１３０）を行う。すなわち、駆動条件は、フリッカーが検出され、かつ、瞬きが検出されたときに変更される。
【００５７】
４−２．他の変形例
変更される駆動条件は、極性反転のタイミングに限定されない。極性反転のタイミングに代えて、または加えて、ガンマ特性、色変換に用いられるＬＵＴ（Look Up Table）、光源の光量などの条件が変更されてもよい。
【００５８】
実施形態において、立体視眼鏡３が、瞬きを検出する手段（センサー３０５）を有している例を説明した。しかし、立体視眼鏡３以外の装置（例えば液晶表示装置２、またその他の装置）が、瞬きを検出する手段を有していてもよい。液晶表示装置２以外の装置が瞬きを検出する手段を有する場合、液晶表示装置２は、その装置から瞬きを示す信号を受信し、瞬きの有無を判断する。
【００５９】
実施形態においては、立体視映像に対して本発明が適用される例を説明したが、平面視映像に本発明が適用されてもよい。
【００６０】
実施形態において、複数のサブフィールドが同一の時間長を有する例を説明した。しかし、複数のサブフィールドは、同一の時間長を有していなくてもよい。すなわち、１フレームにおける各サブフィールドの時間長は、所定の規則によって重み付けされ、それぞれ異なっていてもよい。
【００６１】
実施形態で説明した液晶表示装置２および立体視眼鏡３のハードウェア構成は例示であり、これらの装置のハードウェア構成は実施形態で説明したものに限定されない。
【００６２】
液晶表示装置１はプロジェクターに限定されない。テレビジョン、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等に本発明が用いられてもよい。また、本発明は、液晶以外の電気光学素子を用いた電気光学装置にも適用可能である。
【符号の説明】
【００６３】
１…電子機器、２…液晶表示装置、３…立体視眼鏡、１０…駆動制御回路、２０…走査制御回路、３０…画像処理回路、４０…ＭＣＵ、５０…眼鏡制御回路、６０…通信部、７０…検出回路、７１…センサー、７２…解析部、１００…液晶パネル、１０５…液晶、１０８…コモン電極、１１１…画素、１１２…走査線、１１４…データ線、１１５…容量線、１１６…ＴＦＴ、１１８…画素電極、１２０…液晶素子、１２５…保持容量、１３０…走査線駆動回路、１４０…データ線駆動回路、３０１…右目シャッター、３０２…左目シャッター、３０３…通信部、３０４…制御部、３０５…センサー
【図１】
2014164213.tif 000003
【図２】
2014164213.tif 000004
【図３】
2014164213.tif 000005
【図４】
2014164213.tif 000006
【図５】
2014164213.tif 000007
【図６】
2014164213.tif 000008
【図７】
2014164213.tif 000009
【図８】
2014164213.tif 000010
【図９】
2014164213.tif 000011
【図１０】
2014164213.tif 000012
【図１１】
2014164213.tif 000013
【図１２】
2014164213.tif 000014
【図１３】
2014164213.tif 000015